(57)【特許請求の範囲】
【請求項１】
開口部の左右に配された一対の縦枠と、この一対の縦枠間に並置された複数のスラットと、このスラットの昇降用の駆動源として、一対の縦枠のうちいずれか一方に設けられた電動モータとを具備しており、電動モータの出力回転軸の回転を各縦枠に配置されたスラットの昇降機構に伝達して、当該昇降機構に各一端で支持されたスラットを昇降させるようにしたブラインド装置であって、各縦枠の上端には、電動モータの出力回転軸の回転を昇降機構に伝達する回転軸が設けられており、一方の縦枠側の回転軸と他方の縦枠側の回転軸とは、これら回転軸に対して分離自在な連結軸を介して同期して回転するように互いに連結されており、連結軸は、その各一端部で、各縦枠側の回転軸と軸方向に摺動自在に入れ子式に嵌合されており、連結軸の長さＬは、両回転軸間の距離Ｄよりもδｄだけ長く、少なくとも一方の回転軸と連結軸の一端部との軸方向の摺動自在な嵌合可能長さは、δｄ以上であり、軸方向において他方の回転軸に向って連結軸を弾性的に付勢する弾性手段を具備しており、弾性手段は、一方の回転軸に同心に装着されたコイルばねであり、コイルばねは、連結軸の一方の一端面と一方の回転軸の段差部との間において一方の回転軸の一端部に同心に収縮されて装着されており、連結軸は、その他方の一端面においてコイルばねの弾性伸張力により他方の回転軸の段差部に弾性的に当接されているブラインド装置。
【請求項２】
入れ子式の嵌合は、回転軸及び連結軸のいずれか一方の一端部に形成された角棒状部を、回転軸及び連結軸のいずれか他方の一端部に形成されており、上記角棒状部と相補的形状をもった角状空所に挿入することによりなされている請求項１に記載のブラインド装置。
【発明の詳細な説明】
【０００１】
【発明の属する技術分野】
本発明は、建物の窓等の開口部に配されて、当該開口部を多数の並置されたスラットの昇降により開閉するために用いられるブラインド装置に関する。
【０００２】
【発明が解決しようとする課題】
この種のブラインド装置は、開口部の左右に配された一対の縦枠と、この一対の縦枠間に並置された多数のスラットと、このスラットの昇降用の駆動源としての電動モータとを具備しており、電動モータの出力回転軸の回転を各縦枠に配置された昇降機構に伝達して、当該昇降機構に一端で支持されたスラットを昇降させるようにしている。
【０００３】
上記のようなブラインド装置には、電動モータの出力回転軸の回転を各縦枠に配置された昇降機構に伝達するために、通常、両縦枠間を橋絡した伝達軸が用いられる。ところでこの伝達軸が電動モータの出力回転軸を兼ねている場合には、この伝達軸の両縦枠間の上部への取付けは、電動モータの取付けと共に行わざるを得ない。
【０００４】
しかしながら、通常、電動モータ自体が相当の重量を有しているため、電動モータと共に伝達軸を両縦枠の上部に取り付ける作業は非常な困難を伴い、また、この取付け作業中に、伝達軸を曲げたり、伝達軸の軸受を損壊したりする虞もある。
【０００５】
本発明は、前記諸点に鑑みてなされたものであって、その目的とするところは、電動モータを個別に取り付けることができ、而して、組み立て、分解作業が容易であって、組み立て、分解作業において軸受などの損壊等の事故をなくしうるブラインド装置を提供することにある。
【０００６】
【課題を解決するための手段】
本発明によれば前記目的は、開口部の左右に配された一対の縦枠と、この一対の縦枠間に並置された複数のスラットと、このスラットの昇降用の駆動源として、一対の縦枠のうちいずれか一方に設けられた電動モータとを具備しており、電動モータの出力回転軸の回転を各縦枠に配置されたスラットの昇降機構に伝達して、当該昇降機構に各一端で支持されたスラットを昇降させるようにしたブラインド装置であって、各縦枠の上端には、電動モータの出力回転軸の回転を昇降機構に伝達する回転軸が設けられており、一方の縦枠側の回転軸と他方の縦枠側の回転軸とは、これら回転軸に対して分離自在な連結軸を介して同期して回転するように互いに連結されており、連結軸は、その各一端部で、各縦枠側の回転軸と軸方向に摺動自在に入れ子式に嵌合されており、連結軸の長さＬは、両回転軸間の距離Ｄよりもδｄだけ長く、少なくとも一方の回転軸と連結軸の一端部との軸方向の摺動自在な嵌合可能長さは、δｄ以上であるブラインド装置によって達成される。
【０００７】
本発明によれば、複数のスラットの一端を支持してスラットを昇降させる一方の昇降機構が装着されていると共に、スラットの昇降用の駆動源としての電動モータと、この電動モータの出力回転軸の回転を一方の昇降機構に伝達して、当該昇降機構を作動させる回転軸とが上端に取り付けられた一方の縦枠と、スラットの他端を支持して一方の昇降機構と協働してスラットを昇降させる他の昇降機構が装着されていると共に、この他の昇降機構を回転により作動させる回転軸が上端に取り付けられた他方の縦枠とを開口部の左右に立設、固定し、両回転軸のうちの一方の回転軸に連結軸の一方の一端部を入れ子式に嵌合し、その後、両回転軸のうちの他方の回転軸に連結軸の他方の一端部を入れ子式に嵌合して、一方の縦枠側の回転軸と他方の縦枠側の回転軸とを、連結軸を介して互いに同期して回転するように連結して、前記のようなブラインド装置を組み立てることができる。
【０００８】
上記の本発明のブラインド装置において、軸方向において他方の回転軸に向って連結軸を弾性的に付勢する弾性手段を更に具備していてもよく、弾性手段としては、一方の回転軸に同心に装着されたコイルばねであってもよい。このような弾性手段を具備していると、上記の入れ子式の嵌合において、これが解除されないようにするロックねじ等を用いる必要がなく、組み立て、分解が極めて容易となる。
【０００９】
ブラインド装置に上記の弾性手段を設ける際には、一方の回転軸側に当該弾性手段を配置し、弾性手段の弾性伸長力に抗してそれを収縮させつつ、一方の回転軸に連結軸の一端部を入れ子式に嵌合し、弾性手段の弾性伸長力を利用して他方の回転軸に連結軸の他端部を入れ子式に嵌合して、ブラインド装置を組み立てるようにしてもよく、弾性手段をコイルばねから構成する際には、コイルばねを一方の回転軸に同心に装着して、一方の回転軸側に配置するようにして、上記のブラインド装置を組み立てるようにしてもよい。
【００１０】
本発明のブラインド装置において、昇降機構としては、例えば、スラットの一端が取り付けられたひも状体を単に巻き上げるホイールを有したものであってもよく、この場合、両縦枠の上端に設けられた各ホイールを支持する回転軸を連結軸により連結する。また、昇降機構として、例えば、特開平８−２６０８４３号公報に記載のような、回転軸に取り付けられたスプロッケットホイールと、スプロケットホイールに掛けられたチェーンと、このチェーンの下端に連結されて、各スラットの一端が支持されたリンク機構と、スラットを傾動させるチルト機構とを具備したものであってもよく、この場合、両縦枠の上端に設けられた各スプロケットホイールを支持する回転軸を連結軸により連結する。
【００１１】
【発明の実施の形態】
次に本発明の実施の形態を、図に示す好ましい実施例に基づいて更に詳細に説明する。なお、本発明はこれら実施例に何等限定されないのである。
【００１２】
【実施例】
図１から図４において、本例のブラインド装置１は、建物の開口部２の左右に配された一対の縦枠３及び４と、縦枠３及び４間に並置された複数のスラット５と、スラット５の昇降用の駆動源としての電動モータ６と、各縦枠３及び４に配置された昇降機構７及び８と、縦枠３及び４のそれぞれの上端に回転自在に設けられて、電動モータ６の出力回転軸の回転を昇降機構７及び８に伝達する回転軸９及び１０と、縦枠３側の回転軸９と縦枠４側の回転軸１０とを同期して回転させるため、回転軸９及び１０に対して分離自在であって、これら回転軸９及び１０を互いに連結する連結軸１１と、軸方向において回転軸９に向って連結軸１１を弾性的に付勢する弾性手段としてのコイルばね１２と、電動モータ６等を覆うように上方に配されたヘッドカバー１３と、縦枠３及び４を橋絡して下方に配された水切り枠１４とを具備している。
【００１３】
本例の昇降機構７及び８の夫々は、特開平８−２６０８４３号公報に記載のような、回転軸９及び１０にそれぞれ取り付けられたスプロッケットホイール１５及び１６（図５及び図６参照）と、スプロケットホイール１５及び１６の夫々に掛けられたチェーンと、このチェーンの下端に連結されて、各スラット５の一端が支持されたリンク機構と、スラット５を傾動させるチルト機構とを具備している。これら昇降機構７及び８の詳細は、上記特開平８−２６０８４３号公報により公知であるのでその説明を省略する。
【００１４】
回転軸９は、縦枠３の上端にブラケット２１及び２２（図６参照）を介して回転自在に取り付けられており、回転軸１０は、縦枠４の上端に、同じくブラケット２３及び２４（図５参照）を介して回転自在に取り付けられている。
【００１５】
電動モータ６は、ブラケット２２に取り付けられた歯車箱２５に取り付けられており、歯車箱２５内には、電動モータ６の出力回転軸の回転を回転軸９に伝達する互いに噛み合った歯車（図示せず）が回転自在に装着されている。
【００１６】
ブラインド装置１においては、電動モータ６の出力回転軸の回転は、歯車箱２５内の歯車を介して回転軸９に伝達され、回転軸９に伝達された電動モータ６の出力回転軸の回転は、一方では、そのまま昇降機構７に、他方では、連結軸１１及び回転軸１０を介して昇降機構８にそれぞれ伝達されるようになっている。
【００１７】
歯車箱１６から突出する回転軸９の段差部２６を介する一端部２７は、角棒状部として六角棒状に形成されており、ブラケット２３から突出する回転軸１０の段差部２８を介する一端部２９は、同じく角棒状部として六角棒状に形成されている。
【００１８】
中空の六角棒状に形成された連結軸１１は、その各一端部３１及び３２で、各縦枠３及び４側の回転軸９及び１０と軸方向に摺動自在に入れ子式に嵌合されている。本例では、連結軸１１の一端部３１の角状空所としての六角状の中空部３３に、当該中空部３３と相補的形状を有した回転軸９の一端部２７が嵌入され、その他の一端部３２の角状空所としての六角状の中空部３４に、当該中空部３４と相補的形状を有した回転軸１０の他の一端部２９が嵌入されて、互いに相対回転しないようにされている。連結軸１１の長さＬは、両回転軸９及び１０間の距離Ｄよりもδｄだけ長く、回転軸１０の一端部２９と連結軸１１の一端部３２との軸方向の摺動自在な嵌合可能長さは、δｄ以上となるようにされている。
【００１９】
コイルばね１２は、連結軸１１の一端面４１と回転軸１０の段差部２８との間において、回転軸１０の一端部２９に同心に収縮されて装着されており、コイルばね１２の弾性伸張力により連結軸１１は、その他方の一端面４２において回転軸９の段差部２６に弾性的に当接されている。
【００２０】
ヘッドカバー１３は、天井部５１と、一対の側壁部５２及び５３と、側壁部５２及び５３を橋絡して配された化粧板５４とを具備しており、ヘッドカバー１３は、縦枠３及び４と共に、連結枠５５等を介して、開口部２の窓框又は窓框周りの壁に取り付けられている。
【００２１】
以上のブラインド装置１では、電動モータ６の作動により歯車箱２５内の歯車を介して回転軸９が回転されると、連結軸１１も回転され、連結軸１１の回転により回転軸１０も回転される。この回転軸９及び１０の同期した回転により、縦枠３及び４の夫々に配された昇降機構７及び８も同期して作動されて、スラット５は昇降されて特開平８−２６０８４３号公報に記載のように所定位置で傾動される。
【００２２】
ブラインド装置１を組み立てる際には、まず、水切り枠１４の設置後、スラット５の一端を支持してスラット５を昇降させる昇降機構７が予め装着されていると共に、スラット５の昇降用の駆動源としての電動モータ６と、電動モータ６の出力回転軸の回転を昇降機構７に伝達して、昇降機構７を作動させる回転軸９とがブラケット２１及び２２並びに歯車箱２５を介して上端に予め取り付けられた縦枠３を準備すると共に、スラット５の他端を支持して昇降機構７と協働してスラット５を昇降させる昇降機構８が装着されていると共に、昇降機構８を回転により作動させる回転軸１０がブラケット２３及び２４を介して上端に取り付けられた縦枠４を準備し、この両縦枠３及び４を開口部２の左右に立設し、これらを連結枠５５、ねじ等を介して開口部２の窓框又は窓框周囲の壁等に固定する。
【００２３】
次に、図５及び図７の（ａ）に示すように、回転軸１０の一端部２９にコイルばね１２を同心に装着し、次に、連結軸１１を準備して、コイルばね１２の弾性伸長力に抗してそれを収縮させつつ、回転軸１０の一端部２９を連結軸１１の一端部３２内に若干斜めから挿入して、回転軸１０の一端部２９と連結軸１１の一端部３２とを入れ子式に嵌合し、その後、図６及び図７の（ｂ）に示すように、コイルばね１２の弾性伸張力を利用して回転軸９の一端部２７を連結軸１１の一端部３１内に挿入して、回転軸９の一端部２７と連結軸１１の一端部３１とを入れ子式に嵌合し、縦枠３側の回転軸９と縦枠４側の回転軸１０とを、連結軸１１を介して互いに同期して回転するように連結する。
【００２４】
以後、縦枠３及び４の案内スリット６１から突出する昇降機構７及び８の取付け部材６２にスラット５の各端部を取り付け、その後、側壁部５２及び５３、天井部５１を、連結枠５５を介して窓框又は窓框周囲の壁等に固定し、化粧板５４を側壁部５２及び５３に取り付ける。なお、天井部５１、側壁部５２、５３及びスラット５の取付けは、連結軸１１の取付け前に行ってもよい。
【００２５】
以上の組み立て方法では、電動モータ６と連結軸１１とを個別に取り付けるため、重量の大きい電動モータ６を支えながらの作業を不要とし得、したがって、これらの取付け作業が極めて簡単となり、面倒な作業において生じがちな部品の損傷等の不都合な事態を低減し得る。
【００２６】
【発明の効果】
以上のように本発明によれば、電動モータを個別に取り付けることができ、而して、組み立て、分解作業が容易であって、組み立て、分解作業において軸受などの損壊等の事故をなくし得る。
【図面の簡単な説明】
【図１】本発明の好ましい一実施例の斜視図である。
【図２】図１に示す実施例の化粧板を省略した斜視図である。
【図３】図１に示す実施例の連結軸、回転軸等の関係を示す詳細正面図である。
【図４】図３に示すＩＶ−ＩＶ線断面図である。
【図５】図１に示す実施例の組み立て方法の説明図である。
【図６】図１に示す実施例の組み立て方法の説明図である。
【図７】図１に示す実施例の組み立て方法の説明図である。
【符号の説明】
１  ブラインド装置
２  開口部
３、４  縦枠
５  スラット
６  電動モータ
７、８  昇降機構
９、１０  回転軸
１１  連結軸
【図１】
0003718931.tif 000002
【図２】
0003718931.tif 000003
【図３】
0003718931.tif 000004
【図４】
0003718931.tif 000005
【図５】
0003718931.tif 000006
【図６】
0003718931.tif 000007
【図７】
0003718931.tif 000008